(57)【要約】【課題】ケーブルや機器を見栄え良く、かつ効率的に収納し得る収納装置を提供する。【解決手段】収納装置１は、天板１０の下方側に、収納間口方向に仕切板１７によって区画され、前方に開口する第１機器収納部２０及び第２機器収納部３０が設けられ、これら第１機器収納部及び第２機器収納部の奥側には、収納奥行方向に沿う寸法が互いに異なる寸法とされた配線収納部２６，３６が互いに連通するように設けられている。【選択図】図１
2019165834.tif 000002
【特許請求の範囲】
【請求項１】
天板の下方側に、収納間口方向に仕切板によって区画され、前方に開口する第１機器収納部及び第２機器収納部が設けられ、これら第１機器収納部及び第２機器収納部の奥側には、収納奥行方向に沿う寸法が互いに異なる寸法とされた配線収納部が互いに連通するように設けられていることを特徴とする収納装置。
【請求項２】
請求項１において、
前記配線収納部には、複数の機器受部が上下に間隔を空けて設けられており、上段側の機器受部は、後端部が下段側の機器受部の後端部よりも前方に位置するように設けられていることを特徴とする収納装置。
【請求項３】
請求項１または２において、
前記配線収納部は、後方に開口するように設けられていることを特徴とする収納装置。
【請求項４】
請求項３において、
前記配線収納部の後方開口を開閉自在に覆う背板を備えていることを特徴とする収納装置。
【発明の詳細な説明】
【技術分野】
【０００１】
本発明は、収納装置に関する。
【背景技術】
【０００２】
従来より、テレビジョン受像機やディスプレイ（モニター）等の映像表示機器や、各種の電気機器が載置される天板を有したキャビネット等の収納装置が知られている。このような収納装置においては、天板の下方側の収納空間に、映像表示機器に関連して設けられる再生・録画機器等の関連機器や、ルーター等の情報機器が収納される場合が多々ある。このような機器には、電源ケーブルやＬＡＮケーブル等の各種ケーブル類が接続されるが、収納空間の奥側において各種ケーブル類や電源タップが煩雑な印象を与える傾向があった。
例えば、下記特許文献１には、天板と下板とに格子状の背面部材を取り付け、この背面部材に電源コード類や延長コードタップを収納可能なバスケットが取り付けられる構成としたテレビ台が開示されている。
【先行技術文献】
【特許文献】
【０００３】
【特許文献１】特許第６２２４２８７号公報
【発明の概要】
【発明が解決しようとする課題】
【０００４】
しかしながら、上記特許文献１に記載されたテレビ台では、背面部材の後方側のスペースが比較的に小さくなり、更なる改善が望まれる。
【０００５】
本発明は、上記実情に鑑みてなされたものであり、ケーブルや機器を見栄え良く、かつ効率的に収納し得る収納装置を提供することを目的としている。
【課題を解決するための手段】
【０００６】
上記目的を達成するために、本発明に係る収納装置は、天板の下方側に、収納間口方向に仕切板によって区画され、前方に開口する第１機器収納部及び第２機器収納部が設けられ、これら第１機器収納部及び第２機器収納部の奥側には、収納奥行方向に沿う寸法が互いに異なる寸法とされた配線収納部が互いに連通するように設けられていることを特徴とする。
【発明の効果】
【０００７】
本発明に係る収納装置は、上述のような構成としたことで、ケーブルや機器を見栄え良く、かつ効率的に収納することができる。
【図面の簡単な説明】
【０００８】
【図１】（ａ）、（ｂ）は、本発明の一実施形態に係る収納装置の一例を模式的に示し、（ａ）は、概略正面図、（ｂ）は、（ａ）におけるＸ−Ｘ線矢視に対応させた概略横断面図である。
【図２】（ａ）は、概略正面図、（ｂ）は、概略平面図、（ｃ）は、概略背面図である。
【図３】（ａ）は、図１（ａ）におけるＹ１−Ｙ１線矢視に対応させた概略縦断面図、（ｂ）は、図１（ａ）におけるＹ２−Ｙ２線矢視に対応させた概略縦断面図、（ｃ）は、一部を省略した概略背面図である。
【発明を実施するための形態】
【０００９】
以下に本発明の実施の形態について、図面に基づいて説明する。
なお、一部の図では、他図に付している符号の一部を省略している。
また、以下の実施形態では、設置された本実施形態に係る収納装置に扉側において対面した状態を基準として、手前側を前方、その逆側を後方とし、また、設置された状態を基準として、上下方向等の方向を説明する。
【００１０】
図１〜図３は、本実施形態に係る収納装置の一例を模式的に示す図である。
本実施形態に係る収納装置１は、図１（ｂ）及び図２（ａ）に示すように、天板１０の下方側に、収納間口方向に仕切板１７によって区画され、前方に開口する第１機器収納部２０及び第２機器収納部３０を設けた構成とされている。また、収納装置１は、これら第１機器収納部２０及び第２機器収納部３０の奥側に、収納奥行方向に沿う寸法が互いに異なる寸法とされた配線収納部２６，３６を互いに連通させるように設けた構成とされている。
【００１１】
この収納装置１は、図１（ａ）に示すように、天板１０上に映像表示機器３が載置される構成とされ、比較的に上下方向に沿う高さ寸法が小とされたいわゆるローボードとされている。
この収納装置１の高さ寸法や奥行寸法、収納間口方向に沿う幅寸法は、設置箇所や被収納物４，６，７，８、用途等に応じて適宜の寸法とされたものでもよい。例えば、収納装置１の高さ寸法は、２００ｍｍ〜６００ｍｍ程度でもよく、好ましくは、３００ｍｍ〜５００ｍｍ程度でもよい。また、収納装置１の奥行寸法は、例えば、３００ｍｍ〜６００ｍｍ程度でもよい。また、収納装置１の幅寸法は、６００ｍｍ〜３６００ｍｍ程度でもよい。
【００１２】
なお、映像表示機器３は、一般的なテレビジョン受像機や映像再生機器等であってもよく、その他、各種情報機器のディスプレイ（モニター）等であってもよい。また、この収納装置１に収納される被収納物４，６，７，８としては、再生・録画機器やチューナー、オーディオ機器、タブレット端末、ゲーム機器などの種々の電気（電子）機器４が挙げられる。また、被収納物４，６，７，８としては、ルーター、モデム、ＨＤＤレコーダー等の種々の情報機器８が挙げられる。また、被収納物４，６，７，８としては、これら電気機器４や情報機器８にケーブル５を介して接続されるＡＣアダプター等の電源機器６や、これらのケーブル５が接続される複数の接続口を有した電源タップなどの電気器具７が挙げられる。また、ケーブル５としては、電源ケーブル等の強電ケーブルに限られず、ＬＡＮケーブルや光ファイバー、電話回線、テレビ回線等の通信線を含む弱電ケーブルでもよい。なお、図２（ｂ）を除く他の図では、各機器４，６，７に接続されるケーブル５の図示を省略している。
【００１３】
また、収納装置１は、図１及び図２（ａ）、（ｃ）に示すように、上方側を区画する天板１０と、下方側を区画する底板１２と、収納間口方向両側を区画する一対の側板１４，１４と、を備えている。図例では、天板１０の収納間口方向両端部の下面側に両側の側板１４，１４を設け、両側の側板１４，１４の下端部間に底板１２を設けた例を示している。つまり、天板１０と両側の側板１４，１４とを横勝状に接合し、両側の側板１４，１４と底板１２とを縦勝状に接合した例を示している。なお、天板１０と両側の側板１４，１４とを縦勝状に接合したり、両側の側板１４，１４と底板１２とを横勝状に接合したりした態様としてもよい。また、図例では、底板１２の下方側に台輪状部１３を設けた例を示しているが、床上を走行自在とされたキャスター等の転動体を設けた態様や、複数本の脚状部を設けた態様等としてもよい。
【００１４】
仕切板１７は、図１（ｂ）及び図２（ａ）に示すように、両側の側板１４，１４間に位置するように設けられている。本実施形態では、この仕切板１７を、当該収納装置１の収納間口方向略中央部に位置するように設けた構成としている。つまり、第１機器収納部２０の収納間口寸法と第２機器収納部３０の収納間口寸法とは、互いに略同寸法とされている。なお、このような態様に代えて、仕切板１７を、当該収納装置１の収納間口方向一方側に片寄らせた位置に設けた態様としてもよい。
この仕切板１７は、上端部が天板１０に接合され、下端部が底板１２に接合されている。また、この仕切板１７は、前端部が両側の側板１４，１４の前端部と前後方向で概ね一致する位置となるように設けられている。また、仕切板１７は、その後端部がその後方側に後記する第１配線収納部２６と第２配線収納部３６とを連通させる配線挿通空間が形成されるように、両側の側板１４，１４の後端部よりも前方側に位置するように設けられている。
【００１５】
また、本実施形態では、収納装置１に、第１機器収納部２０及び第２機器収納部３０のそれぞれを、収納間口方向に区画する仕切板（第１仕切板２１及び第２仕切板３１）２１，３１を設けた構成としている。
第１機器収納部２０は、第１仕切板２１によって比較的に収納間口寸法が大とされた第１収納部２２と収納間口寸法が小とされた第２収納部２３とに区画されている。また、図例では、第１収納部２２を上下に区画する棚板２４を設けた例を示している。なお、第２収納部２３にも棚板を設けた態様としてもよい。
第２機器収納部３０は、第２仕切板３１によって比較的に収納間口寸法が大とされた第１収納部３２と収納間口寸法が小とされた第２収納部３３とに区画されている。また、図例では、これら第１収納部３２及び第２収納部３３のそれぞれを上下に区画する棚板３４，３４を設けた例を示している。
これら各収納部２２，３２，３３の棚板２４，３４，３４は、高さ変更可能に配設される構成とされたものでもよい。なお、このような棚板２４，３４，３４を各収納部２２，３２，３３に設けていない構成としてもよい。また、第１機器収納部２０及び第２機器収納部３０のそれぞれを、２つの収納部２２，２３，３２，３３に区画した例を示しているが、このような態様に限られない。
【００１６】
また、本実施形態では、第１機器収納部２０及び第２機器収納部３０の前方開口を開閉自在に覆う扉１５，１６を設けた構成としている。また、２枚の扉１５，１６を設けた構成としている。また、これら扉１５，１６のうちの一方の第１扉１５は、上下方向に沿う軸回りに回転自在とされ、他方の第２扉１６は、収納間口方向に沿う軸回りに回転自在とされている。
第１扉１５は、一方の側板（第１機器収納部２０を区画する側板）１４に対して蝶番等の回転連結部材１５ａ，１５ａによって回転自在に連結されている。図例では、この第１扉１５を、第１機器収納部２０の第１収納部２２の前方開口を開閉する構成とした例を示している。
また、この第１扉１５は、第１収納部２２に収納された電気機器４を遠隔操作する遠隔操作機器からの赤外線等の無線信号を透過可能な構成とされている。図例では、この第１扉１５を、ガラスや透光性樹脂材料から形成され透光性を有したものとした例を示しているが、木質系材料等の不透光材料から形成されスリット状等の複数の開口を有したもの等としてもよい。また、この第１扉１５を、第２扉１６と同様、収納間口方向に沿う軸回りに回転自在とされたものとしてもよい。
【００１７】
第２扉１６は、底板１２に対して蝶番等の回転連結部材１６ａ，１６ａによって回転自在に連結されている。図例では、この第２扉１６を、第１機器収納部２０の第２収納部２３及び第２機器収納部３０の前方開口を開閉する構成とした例を示している。なお、この第２扉１６は、例えば、木質系材料等の不透光材料から形成されたものでもよく、上記同様、遠隔操作機器からの赤外線等の無線信号を透過可能な構成とされたものでもよい。また、この第２扉１６を、第１扉１５と同様、上下方向に沿う軸回りに回転自在とされたものとしてもよい。
また、図例では、これら扉１５，１６を、閉鎖状態でそれぞれの背面が各側板１４，１４の前端面に対面されるようにアウトセット状に設けた例を示しているが、インセット状に設けた態様としてもよい。
また、扉１５，１６としては、上記のような態様とされたものに限られず、種々の変形が可能である。例えば、扉１５，１６を、引違状に設けられた引戸としてもよい。また、各扉１５，１６を、第１機器収納部２０及び第２機器収納部３０の前方開口のそれぞれを開閉自在に覆う構成としてもよく、３枚以上の扉を設けた態様としてもよい。または、第１機器収納部２０及び第２機器収納部３０の前方開口を開閉自在に覆う一枚の扉を設けた構成等としてもよく、更には、このような扉を設けていない構成としてもよい。
【００１８】
また、本実施形態では、図１（ｂ）に示すように、第１機器収納部２０の奥行寸法を、第２機器収納部３０の奥行寸法よりも小としている。つまり、配線収納部２６，３６のうちの一方としての第１機器収納部２０の奥側に設けられた第１配線収納部２６の奥行寸法よりも、他方としての第２機器収納部３０の奥側に設けられた第２配線収納部３６の奥行寸法を小とした構成としている。これら第１配線収納部２６及び第２配線収納部３６の奥行寸法は、種々のケーブル５や電源機器６、電気器具７、情報機器８の収納が可能なように、また、第１機器収納部２０及び第２機器収納部３０の奥行寸法が過小とならないように適宜の寸法としてもよい。
これら第１配線収納部２６及び第２配線収納部３６は、上側が天板１０によって区画され、底側が底板１２によって区画されている。また、これら第１配線収納部２６及び第２配線収納部３６は、仕切板１７の後方側空間を介して互いに連通されており、非連通側となる収納間口方向外側が各側板１４，１４によって区画されている。
また、奥行寸法が小とされた第２配線収納部３６の奥行寸法は、例えば、ルーターやモデム等の比較的に薄型の情報機器８を、その厚さ方向を収納奥行方向に沿わせて収納可能な寸法としてもよい。例えば、この第２配線収納部３６の奥行寸法を、３０ｍｍ〜１５０ｍｍ程度としてもよく、好ましくは、５０ｍｍ〜１２０ｍｍ程度としてもよく、より好ましくは、７０ｍｍ〜１００ｍｍ程度としてもよい。
【００１９】
また、奥行寸法が大とされた第１配線収納部２６の奥行寸法は、例えば、複数（例えば、２つ）の電源機器６や電気器具７を、収納奥行方向に並列状に収納可能な寸法としてもよい。この第１配線収納部２６の奥行寸法は、第２配線収納部３６の奥行寸法よりも大であればよいが、第２配線収納部３６の奥行寸法の１．１倍〜２．０倍程度でもよく、好ましくは、１．２倍〜１．６倍程度でもよい。また、この第１配線収納部２６の奥行寸法は、第１機器収納部２０の奥行寸法の１／２以下としてもよい。
また、本実施形態では、第１機器収納部２０の奥側に、この第１機器収納部２０と第１配線収納部２６とを区画する第１奥側仕切板２５を設けた構成としている。つまり、この第１奥側仕切板２５は、第１機器収納部２０の奥側を区画し、第１配線収納部２６の前側を区画する。また、第２機器収納部３０の奥側に、この第２機器収納部３０と第２配線収納部３６とを区画する第２奥側仕切板３５を設けた構成としている。つまり、この第２奥側仕切板３５は、第２機器収納部３０の奥側を区画し、第２配線収納部３６の前側を区画する。つまりは、第１奥側仕切板２５は、第２奥側仕切板３５よりも前方に位置するように設けられている。
【００２０】
第１奥側仕切板２５は、上端が天板１０に当接され、下端が底板１２に当接され、その前面に第１仕切板２１及び棚板２４の後端部が当接されるように配されている。また、第１奥側仕切板２５は、その間口方向の各端部が一方の側板１４及び仕切板１７に当接されるように配されている。
第２奥側仕切板３５も同様、上端が天板１０に当接され、下端が底板１２に当接され、その前面に第２仕切板３１及び棚板３４の後端部が当接されるように配されている。また、第２奥側仕切板３５は、その間口方向の各端部が他方の側板１４及び仕切板１７に当接されるように配されている。
【００２１】
また、これら第１奥側仕切板２５及び第２奥側仕切板３５には、図２（ａ）に示すように、収納奥行方向に貫通する配線挿通部２５ａ，３５ａがそれぞれに設けられている。また、これら第１奥側仕切板２５及び第２奥側仕切板３５に、複数の配線挿通部２５ａ，３５ａを設けた構成としている。また、これら配線挿通部２５ａ，３５ａを、各機器収納部２０，３０における各収納部２２，２３，３２，３３において少なくとも一つが開口するように設けた構成としている。これら配線挿通部２５ａ，３５ａは、ケーブル５の挿通に加えて、ケーブル５の端部に設けられた接続部や電源機器６の挿通が可能とされたものでもよい。また、図例では、これら配線挿通部２５ａ，３５ａを、丸孔とした例を示しているが、その他、種々の形状とされたものでもよい。また、貫通孔に取り付けられたキャップ状部材の弾性変形可能な膜状部に放射状に切り込まれた切込部を配線挿通部２５ａ，３５ａとしたような態様等としてもよい。
【００２２】
なお、これら第１奥側仕切板２５及び第２奥側仕切板３５の両方または一方は、着脱可能とされたものでもよい。例えば、第１奥側仕切板２５及び第２奥側仕切板３５の両方または一方の上下端部が嵌め入れられる溝を天板１０の下面側及び底板１２の上面側に設けた構成等としてもよい。第１奥側仕切板２５及び第２奥側仕切板３５の両方または一方を着脱可能とする態様としては、その他、種々の態様の採用が可能であり、例えば、面ファスナーを用いて着脱可能としたような態様等としてもよい。また、これら第１奥側仕切板２５及び第２奥側仕切板３５の両方または一方を設けていない構成としてもよい。このような奥側仕切板２５，３５を設けていない場合には、仕切板１７，２１，３１や棚板２４，３４の後端部を、配線収納部２６，３６の前側を区画するものとして把握するようにしてもよい。
【００２３】
また、配線収納部２６，３６は、本実施形態では、図３に示すように、後方に開口するように設けられている。また、配線収納部２６，３６の後方開口を開閉自在に覆う背板（第１背板２７及び第２背板３７）２７，３７を設けた構成としている。本実施形態では、第１配線収納部２６の後方開口を開閉自在に覆う第１背板２７と、第２配線収納部３６の後方開口を開閉自在に覆う第２背板３７と、を背板２７，３７として設けた構成としている。また、第１配線収納部２６の後方開口と第２配線収納部３６の後方開口とを区画するように仕切板１７の後方側に後仕切板１８を設けた構成としている。この後仕切板１８の収納間口方向両側において第１配線収納部２６の後方開口及び第２配線収納部３６の後方開口が開口される。また、この後仕切板１８は、上端部が天板１０に接合され、下端部が底板１２に接合されている。
【００２４】
また、図例では、後仕切板１８を、収納奥行方向に厚さ方向を沿わせた帯板状とした例を示している。また、図例では、この後仕切板１８の上端部と仕切板１７の上端部とを接続する補強板と、後仕切板１８の下端部と仕切板１７の下端部とを接続する補強板と、を設けた例を示しているが、これらの両方または一方を設けていない構成としてもよい。または、仕切板１７の後端部を、後仕切板１８の前面に当接または近接させた構成としてもよい。この場合は、仕切板１７に、第１配線収納部２６と第２配線収納部３６とを連通させるように、収納間口方向に貫通する配線挿通部を設けた態様等としてもよい。
また、図例では、両側の側板１４，１４の後端部に、互いに向き合う方向に向けて突出し、各配線収納部２６，３６の後方開口の後仕切板１８とは異なる側となる収納間口方向一方側（外方側）を区画する突片部１９，１９を設けた例を示している。これら突片部１９，１９は、上端部が天板１０に当接され、下端部が底板１２に当接されるように配されている。なお、このような突片部１９，１９を設けていない構成としてもよい。
【００２５】
第１背板２７は、後仕切板１８と一方の突片部１９とによって収納間口方向両側が区画された第１配線収納部２６の後方開口を覆う構成とされている。この第１背板２７は、上端が天板１０に当接され、下端が底板１２に当接され、その間口方向の各端部が後仕切板１８及び一方の突片部１９に当接されるように配されている。
第２背板３７は、後仕切板１８と他方の突片部１９とによって収納間口方向両側が区画された第２配線収納部３６の後方開口を覆う構成とされている。この第２背板３７は、上端が天板１０に当接され、下端が底板１２に当接され、その間口方向の各端部が後仕切板１８及び他方の突片部１９に当接されるように配されている。
これら第１背板２７及び第２背板３７には、図２（ｃ）に示すように、通気口２７ａ，３７ａが設けられている。図例では、第１背板２７及び第２背板３７のそれぞれに複数の通気口２７ａ，３７ａを設けた例を示している。また、第１背板２７に、上下方向に延びる細長状とされた複数の通気口２７ａを収納間口方向に間隔を空けて設けた例を示している。また、第２背板３７に、収納間口方向に延びる細長状とされた複数の通気口３７ａを収納間口方向及び上下方向のそれぞれに間隔を空けて設けた例を示している。
【００２６】
また、これら第１背板２７及び第２背板３７のうちの一方としての第１背板２７に、図２（ｃ）に示すように、収納奥行方向に貫通する配線挿通部２７ｂを設けた例を示している。図例では、配線挿通部２７ｂを、住居等の建物の間仕切壁に設けられた差込接続器２（図１（ｂ）参照）に応じた位置となるように、第１背板２７の側板１４側部位の下端部に設けた例を示しているが、このような態様に限られない。例えば、当該収納装置１の後端側の任意の位置からケーブル５の引き出しが可能なように、第１背板２７及び第２背板３７の下端側部位に収納間口方向に長尺状に配線挿通部を設けた構成等としてもよい。また、差込接続器２としては、各種コンセントやモジュラー、端子等の接続部が設けられたマルチメディア型のものでもよい。
【００２７】
また、これら第１背板２７及び第２背板３７は、図３（ａ）、（ｂ）に示すように、本実施形態では、天板１０及び底板１２に対して着脱自在に保持されている。また、天板１０及び底板１２の後端部に、互いに向き合う方向に向けて開口し、収納間口方向に延びる保持溝１０ａ，１２ａを設けた構成としている。天板１０の保持溝１０ａに第１背板２７及び第２背板３７の上端部が保持され、底板１２の保持溝１２ａに第１背板２７及び第２背板３７の下端部が保持される。これら保持溝１０ａ，１２ａは、第１背板２７及び第２背板３７を、いわゆるけんどん状（上げ落とし状）に着脱自在に保持可能な構成とされている。つまり、天板１０の保持溝１０ａは、第１背板２７及び第２背板３７の上方側への移動を許容するように、底板１２の保持溝１２ａよりも深さ寸法が大とされている。天板１０の保持溝１０ａの深さ寸法は、この保持溝１０ａに対して第１背板２７及び第２背板３７を上方側に移動させた状態で、第１背板２７及び第２背板３７の下端部が底板１２の保持溝１２ａから脱離可能となるように適宜の寸法とされている。なお、底板１２の保持溝１２ａの深さ寸法は、第１背板２７及び第２背板３７の下端部の意図しない脱離を抑制可能なように適宜の寸法としてもよい。
【００２８】
なお、第１背板２７及び第２背板３７を収納装置１の後端部に対して着脱自在に保持させる態様としては、上記のような態様に限られず、その他、種々の変形が可能である。例えば、後仕切板１８及び両側の突片部１９，１９に、互いに向き合う方向に向けて開口し、上下方向に延び、第１背板２７及び第２背板３７の収納間口方向両端部を保持する保持溝を設けた構成としてもよい。また、第１背板２７及び第２背板３７の側端部を、後方開口の開口縁に対して面ファスナーや適宜の係合保持部等によって着脱自在に保持させた態様等としてもよく、その他、種々の変形が可能である。また、第１背板２７及び第２背板３７を収納装置１の後端部に対して着脱自在とした態様に代えて、開閉自在に連結した態様等としてもよい。
【００２９】
また、本実施形態では、配線収納部２６，３６に、図３に示すように、複数の機器受部１２ｂ，２５ｂ，３５ｂを上下に間隔を空けて設けた構成としている。また、上段側の機器受部（上段側機器受部）２５ｂ，３５ｂは、後端部２５ｃ，３５ｃが下段側の機器受部（下段側機器受部）１２ｂの後端部１２ｃよりも前方に位置するように設けられている。
本実施形態では、第１配線収納部２６及び第２配線収納部３６のそれぞれに、複数の機器受部１２ｂ，１２ｂ，２５ｂ，３５ｂを上下に間隔を空けて設けた構成としている。
下段側機器受部１２ｂ，１２ｂは、本実施形態では、第１配線収納部２６及び第２配線収納部３６のそれぞれの底側を区画する底板１２の後端部とされている。図１（ｂ）及び図３（ａ）、（ｂ）に示すように、第１配線収納部２６の下段側機器受部１２ｂの奥行寸法は、第２配線収納部３６の下段側機器受部１２ｂの奥行寸法よりも大とされている。
【００３０】
また、各下段側機器受部１２ｂ，１２ｂの後端部１２ｃ，１２ｃに、上方側に向けて立ち上がるように堰状に立上部を設けた構成としている。このような構成とすれば、下段側機器受部１２ｂ，１２ｂに載置されたケーブル５や電源機器６、電気器具７等の後方側への落下やはみ出しを低減することができる。図例では、第１配線収納部２６の下段側機器受部１２ｂの収納間口方向仕切板１７側部位に、比較的に大型の２つの電源機器６，６を収納間口方向に横並状に配置した例を示している。また、第１配線収納部２６の下段側機器受部１２ｂの収納間口方向側板１４側部位に、収納間口方向に長尺状の２つの電気器具７を収納奥行方向に並列状に配置した例を示している。また、第２配線収納部３６の下段側機器受部１２ｂの収納間口方向中央部位に、比較的に小型の２つの電源機器６，６を収納奥行方向に並列状に配置した例を示している。
また、後端部１２ｃ，１２ｃの立上部は、図３（ｃ）に示すように、第１配線収納部２６及び第２配線収納部３６の後方開口の下端縁に沿って収納間口方向に延びるように設けられている。また、後端部１２ｃ，１２ｃの立上部は、第１背板２７及び第２背板３７の下端部前面に沿うように設けられている。これら後端部１２ｃ，１２ｃの立上部の立上寸法は、上記のような落下等を低減する観点や、配線作業性の観点等から適宜の寸法としてもよい。
【００３１】
第１配線収納部２６の上段側機器受部２５ｂは、第１配線収納部２６の上下方向途中部位に位置するように設けられている。図例では、第１配線収納部２６の上下方向中央部位よりも僅かに低い位置となるように上段側機器受部２５ｂを設けた例を示している。
また、この上段側機器受部２５ｂは、第１奥側仕切板２５の背面から後方側に向けて突出するように設けられている。この上段側機器受部２５ｂの突出寸法は、ケーブル５や電源機器６、電気器具７等の載置が可能で、かつ後方側に配線スペースが形成されるように適宜の寸法としてもよい。図例では、上段側機器受部２５ｂの突出寸法を、第１配線収納部２６の奥行寸法の１／２未満の寸法とした例を示している。また、図例では、この上段側機器受部２５ｂに、比較的に大型の電源機器６を配置した例を示している。
【００３２】
また、この上段側機器受部２５ｂの後端部２５ｃには、上記同様、上方側に向けて立ち上がるように堰状に立上部が設けられている。
また、本実施形態では、この上段側機器受部２５ｂを、第１配線収納部２６の収納間口方向で部分的に設けた例を示している。図例では、この上段側機器受部２５ｂを、一方の側板１４から第１配線収納部２６の収納間口方向の概ね中央部まで設けた例を示している。なお、このような態様に代えて、上段側機器受部２５ｂを、第１配線収納部２６の収納間口方向の概ね全体に亘って設けた構成としてもよい。
【００３３】
第２配線収納部３６の上段側機器受部３５ｂは、第２配線収納部３６の上下方向途中部位に位置するように設けられている。図例では、この上段側機器受部３５ｂを、第１配線収納部２６の上段側機器受部２５ｂと概ね同高さに位置するように設けた例を示しているが、異なる高さに設けた構成としてもよい。
また、この上段側機器受部３５ｂは、上記同様、第２奥側仕切板３５の背面から後方側に向けて突出するように設けられている。この上段側機器受部３５ｂの突出寸法は、上記同様、ケーブル５や電源機器６、電気器具７等の載置が可能で、かつ後方側に配線スペースが形成されるように適宜の寸法としてもよい。図例では、上段側機器受部３５ｂの突出寸法を、第２配線収納部３６の奥行寸法の１／２以上の寸法とした例を示している。また、図例では、この上段側機器受部３５ｂに、２つの情報機器８，８を収納間口方向に間隔を空けて設けた例を示している。
また、この上段側機器受部３５ｂの後端部３５ｃには、上記同様、上方側に向けて立ち上がるように堰状に立上部が設けられている。
また、この上段側機器受部３５ｂを、第２配線収納部３６の収納間口方向の概ね全体に亘って設けた構成としているが、上記同様、収納間口方向で部分的に設けた構成としてもよい。
【００３４】
なお、上記した各上段側機器受部２５ｂ，３５ｂは、第１奥側仕切板２５及び第２奥側仕切板３５に対して位置変更可能に着脱可能とされたものとしてもよい。例えば、第１奥側仕切板２５及び第２奥側仕切板３５に、上段側機器受部２５ｂ，３５ｂが引っ掛けられる多数の引掛孔等の引掛部を設けたような態様等としてもよい。また、このように各上段側機器受部２５ｂ，３５ｂを第１奥側仕切板２５及び第２奥側仕切板３５に保持されるものとした態様に代えて、天板１０や側板１４、仕切板１７、棚板２４，３４等に保持されるものとしてもよい。
また、上下に二段の機器受部１２ｂ，１２ｂ，２５ｂ，３５ｂを設けた態様に代えて、三段以上の機器受部を設けた態様としてもよい。また、第１配線収納部２６及び第２配線収納部３６のうちのいずれか一方のみに、複数の機器受部を設けた態様としてもよい。第１配線収納部２６及び第２配線収納部３６に設けられる機器受部としては、その他、種々の変形が可能である。
また、側板１４や、仕切板１７、第１奥側仕切板２５、第２奥側仕切板３５等に、ケーブル５を挿脱自在に保持するクリップ等の保持部を設けた態様としてもよい。
【００３５】
また、本実施形態では、図２（ｂ）に示すように、天板１０に、当該天板１０上に載置される映像表示機器３を含む電気機器４等のケーブル５が挿通される第１配線挿通部１１を設けた構成としている。このような構成とすれば、天板１０に載置される映像表示機器３等のケーブル５を第１配線挿通部１１に挿通させて見栄え良く納めることができる。
この第１配線挿通部１１は、第１配線収納部２６及び第２配線収納部３６の両方または一方に連通するように、天板１０の後端部を貫通して設けられている。また、図例では、この第１配線挿通部１１を、天板１０の収納間口方向の略中央部に設けた例を示している。また、この第１配線挿通部１１を、天板１０に設けられた貫通孔に嵌込状に取り付けられたキャップ状部材に設けた例を示している。図例では、収納間口方向に長尺状のキャップ状部材に、収納間口方向に延びるスリット状の第１配線挿通部１１を設けた例を示している。
【００３６】
また、天板１０に、当該天板１０上に載置される電気機器４のケーブル５が挿通される第２配線挿通部１１Ａを設けた構成としている。つまり、本実施形態では、天板１０に複数の配線挿通部１１，１１Ａを設けた構成としている。このような構成とすれば、タブレット端末や携帯電話等の携帯情報端末や、電子辞書、ゲーム機器等の充電を要する電気機器４を天板１０上に載置して充電する際に、そのケーブル５を第２配線挿通部１１Ａに挿通させて見栄え良く納めることができる。また、天板１０上に載置されるアロマディフューザーやインテリア照明等の電気機器４のケーブル５を第２配線挿通部１１Ａに挿通させて見栄え良く納めることができる。
【００３７】
この第２配線挿通部１１Ａは、第１配線挿通部１１から間隔を空けて設けられている。図例では、第２配線挿通部１１Ａを、天板１０の後端部の収納間口方向一方側端部に設けた例を示している。なお、天板１０の後端部の収納間口方向他方側端部にも同様な配線挿通部を設けた態様としてもよい。
また、第２配線挿通部１１Ａは、第１配線収納部２６及び第２配線収納部３６のうちの少なくともいずれか一方としての第１配線収納部２６に連通するように設けられている。また、この第２配線挿通部１１Ａは、上記と概ね同様、天板１０に設けられた貫通孔に嵌込状に取り付けられたキャップ状部材に設けられている。図例では、この第２配線挿通部１１Ａを構成するキャップ状部材の収納間口方向及び奥行方向に沿う寸法を、第１配線挿通部１１を構成するキャップ状部材よりも小とした例を示している。
【００３８】
また、天板１０は、図３（ａ）、（ｂ）に示すように、後端部が両側の側板１４，１４及び底板１２よりも後方側に向けて突出するように設けられている。また、この天板１０の後端部の中央部には、後方側に向けて開口するように切欠状の凹所１０ｂが設けられている。この凹所１０ｂは、映像表示機器３の転倒抑制用に映像表示機器３に連結されるベルトや金具等の受入が可能な構成とされている。
なお、図例では、天板１０の前端面に各扉１５，１６の上端部の背面が対面される構成とした例を示しているが、各扉１５，１６の上端面を覆うように天板１０の前端部を前方側に突出させた構成等としてもよい。
【００３９】
本実施形態に係る収納装置１は、上述のような構成としたことで、ケーブル５や機器４，６，７，８を見栄え良く、かつ効率的に収納することができる。
つまり、第１機器収納部２０及び第２機器収納部３０の奥側に、収納奥行方向に沿う寸法が互いに異なる寸法とされた配線収納部２６，３６を互いに連通させるように設けた構成としている。つまりは、上記のように第１機器収納部２０及び第２機器収納部３０の一方としての第１機器収納部２０の奥行寸法を、他方としての第２機器収納部３０の奥行寸法よりも小とした構成としている。従って、これら奥行寸法の異なる各機器収納部２０，３０に、奥行寸法の異なる種々の被収納物としての電気機器４や各種物品を効率的に収納することができ、使い勝手を向上させることができる。
また、第１機器収納部２０の奥側に、奥行寸法の大きい第１配線収納部２６が設けられ、第２機器収納部３０の奥側に、奥行寸法の小さい第２配線収納部３６が設けられることとなる。従って、これら奥行寸法の異なる各配線収納部２６，３６に、上記のように奥行寸法の異なる種々の機器６，７，８やケーブル５を効率的に収納することができ、使い勝手を向上させることができる。例えば、図例のように、第１配線収納部２６に、手前側の各機器収納部２０，３０に収納される電気機器４に接続される電源機器６や電気器具７などの比較的に奥行寸法が大きくなる強電系器具を収納することができる。また、第２配線収納部３６に、比較的に薄型の情報機器８等の弱電系器具を収納することができる。つまり、強電系器具と弱電系器具とを分離して効率的に収納可能でありながらも、手前側の各機器収納部２０，３０の収納効率を向上させることができる。また、強電系器具と弱電系器具とを分離して収納することで、弱電系器具が強電系器具から受ける電磁的影響を抑制することもできる。
【００４０】
また、本実施形態では、第１機器収納部２０と第１配線収納部２６とを区画し、収納奥行方向に貫通する配線挿通部２５ａが設けられた第１奥側仕切板２５を設けた構成としている。従って、第１配線収納部２６に収納されるケーブル５や種々の機器６，７，８を手前側から目立ち難くすることができる。
また、本実施形態では、第２機器収納部３０と第２配線収納部３６とを区画し、収納奥行方向に貫通する配線挿通部３５ａが設けられた第２奥側仕切板３５を設けた構成としている。従って、上記同様、第２配線収納部３６に収納されるケーブル５や種々の機器６，７，８を手前側から目立ち難くすることができる。
【００４１】
また、本実施形態では、配線収納部２６，３６に、複数の機器受部１２ｂ，１２ｂ，２５ｂ，３５ｂを上下に間隔を空けて設けた構成としている。従って、配線収納部２６，３６に収納される種々の機器６，７，８を、各機器受部１２ｂ，１２ｂ，２５ｂ，３５ｂに分離して収納することができる。これにより、配線時や再配線時の作業性を向上させることができ、また、熱的影響や電磁的影響を受け難くすることができる。
また、本実施形態では、上段側機器受部２５ｂ，３５ｂの後端部２５ｃ，３５ｃを、下段側機器受部１２ｂ，１２ｂの後端部１２ｃ，１２ｃよりも前方に位置するように設けた構成としている。従って、上段側機器受部２５ｂ，３５ｂの後方側に空間が形成され、下段側への配線引き回し性や配線作業性を向上させることができる。なお、このような態様に代えて、上下の機器受部１２ｂ，１２ｂ，２５ｂ，３５ｂの後端部１２ｃ，１２ｃ，２５ｃ，３５ｃを、奥行方向で互いに略一致させた構成等としてもよい。また、配線収納部２６，３６に、上下に複数の機器受部１２ｂ，１２ｂ，２５ｂ，３５ｂを設けた態様に代えて、下段側機器受部１２ｂ，１２ｂのみを設けた態様等としてもよい。
【００４２】
また、本実施形態では、配線収納部２６，３６を、後方に開口するように設けた構成としている。従って、上方側の開口を介して上方側から収納する必要があるものや、機器収納部２０，３０の奥側を区画する奥側仕切板２５，３５を取り外して前方側から収納する必要があるものと比べて、収納時や配線時における作業性を向上させることができる。
また、本実施形態では、配線収納部２６，３６の後方開口を開閉自在に覆う背板２７，３７を設けた構成としている。従って、配線収納部２６，３６への塵埃等の侵入を低減することができる。また、ケーブル５等が配線収納部２６，３６から飛び出して露出するようなことを抑制することができる。また、後方開口を開放させれば、各種機器６，７，８やケーブル５を容易に収納したり、配線したりすることができる。なお、このような後方開口を開閉自在に覆う背板２７，３７を設けていない構成としてもよい。
【００４３】
また、配線収納部２６，３６としては、上記のような後方に開口されたものに限られず、天板１０の後端部において上方に開口されたものでもよい。または、各機器収納部２０，３０の奥側を区画する奥側仕切板２５，３５を着脱自在とし、配線収納部２６，３６を前方に開口されるものとしてもよい。
また、本実施形態では、収納装置１に、収納間口方向に仕切板１７によって仕切られた第１機器収納部２０と第２機器収納部３０とを設けた例を示しているが、収納間口方向に３つ以上の機器収納部を設けた態様としてもよい。この場合は、各機器収納部の奥側の配線収納部の奥行寸法を互いに異なる寸法としてもよく、少なくとも一つの配線収納部の奥行寸法を他の配線収納部の奥行寸法とは異ならせた態様等としてもよい。本実施形態に係る収納装置１の上記した各部の構成は、一例に過ぎず、その他、種々の変形が可能である。
【符号の説明】
【００４４】
１        収納装置
１０      天板
１２ｂ    下段側機器受部（下段側の機器受部）
１２ｃ    後端部
１７      仕切板
２０      第１機器収納部
２５ｂ    上段側機器受部（上段側の機器受部）
２５ｃ    後端部
２６      第１配線収納部（配線収納部）
２７      第１背板（背板）
３０      第２機器収納部
３５ｂ    上段側機器受部（上段側の機器受部）
３５ｃ    後端部
３６      第２配線収納部（配線収納部）
３７      第２背板（背板）
【図１】
2019165834.tif 000003
【図２】
2019165834.tif 000004
【図３】
2019165834.tif 000005